(57)【要約】【課題】撤去すべきケーブル以外のケーブルに悪影響を与えることなく、撤去すべきケーブルを容易に且つ安全に撤去することができ、さらに撤去作業の効率を向上させることができるケーブル保持具を提供する。【解決手段】上部に開口部１０１を有すると共に内部に複数のケーブル１１０を収容するケーブル収容部１００の幅方向端部の一方に着脱可能に取り付けられる本体１０と、ケーブル収容部の開口部の上方空間に突出させて上面にケーブルを載置できるように、ケーブル収容部の幅方向に滑動可能に本体に取り付けられる滑動部材５０と、滑動部材が滑動する際に、載置されたケーブルの位置を維持して滑動部材の相対的な移動を確保するように滑動部材に配設される滑り手段とを具備する。【選択図】図１
2008141793.tif 000002
【特許請求の範囲】
【請求項１】
上部に開口部を有すると共に内部に複数のケーブルを収容するケーブル収容部の幅方向端部の一方に着脱可能に取り付けられる本体と、
前記ケーブル収容部の開口部の上方空間に突出させて上面にケーブルを載置できるように、前記ケーブル収容部の幅方向に滑動可能に前記本体に取り付けられる滑動部材と、
該滑動部材が滑動する際に、載置されたケーブルの位置を維持して前記滑動部材の相対的な移動を確保するように前記滑動部材に配設される滑り手段と
を具備することを特徴とするケーブル保持具。
【請求項２】
前記滑動部材は、回転軸が前記ケーブル収容部の長手方向と平行になるように並設された複数のローラ上に載置されていることを特徴とする請求項１に記載のケーブル保持具。
【請求項３】
前記滑り手段は、回転軸が前記ケーブル収容部の長手方向と平行になるように並設された複数のローラからなることを特徴とする請求項１又は２に記載のケーブル保持具。
【請求項４】
前記滑り手段は、複数の球状ローラからなることを特徴とする請求項１又は２に記載のケーブル保持具。
【請求項５】
前記本体は、前記ケーブル収容部の長手方向に移動するための移動手段を有することを特徴とする請求項１〜４の何れか一項に記載のケーブル保持具。
【発明の詳細な説明】
【技術分野】
【０００１】
本発明は、ケーブルラックなどに収容される多数のケーブルを一時的に上方に保持するケーブル保持具に関するものである。
【背景技術】
【０００２】
一般に、電力や通信などの施設には、多数のケーブル（電力ケーブルや光ケーブルなど）が敷設されており、これらのケーブルはケーブルラックなどのケーブル収容部に収容されている。これらのケーブルが敷設された施設のうち、例えば通信施設などでは、通信回線の増加に伴って新たな光ケーブルを敷設する必要があり、特に大規模な通信施設において新たな光ケーブルを敷設する場合には、ケーブルラック内に積み重ねられた光ケーブル群の上に新たな光ケーブルをさらに積み重ねてゆくようになる。
【０００３】
そして、このような状態でケーブルラック内に敷設された光ケーブル群の中から、不要な所定の光ケーブル（回線が廃止された光ケーブルなど）を撤去する際には、撤去すべき光ケーブルを特定し、引き抜くようにしている。その際に、撤去すべき光ケーブルが光ケーブル群の上部に位置する場合にはその光ケーブルを容易に撤去することができるが、撤去すべき光ケーブルが光ケーブル群の下部に位置する場合には、障害となる光ケーブルを数人の作業員が持ち上げて撤去すべき光ケーブルを露出させた後、そのケーブルをケーブルラックから引き抜く方法も採られたが、同一箇所で数人の作業員がケーブル撤去作業を行なう必要があり、作業効率が悪いという問題があった。また、数人の作業員が光ケーブルを持ち上げているために、光ケーブルに異常なテンションがかかり、回線に影響を与える可能性があるという問題があった。このため不要な所定の光ケーブルを容易に撤去することができず、ケーブルラック内の光ケーブルの数量増加の原因となっていた。
【０００４】
このような問題を解決するために、ケーブルラック内に収容された多数のケーブルを一時的に上方に保持するケーブル保持具が提案されている（特許文献１参照）。
【０００５】
【特許文献１】特開平１０−３２２８３１号公報
【発明の開示】
【発明が解決しようとする課題】
【０００６】
しかしながら、上述したケーブル保持具では、上方に持ち上げられたケーブルを保持する位置がケーブル収容部の略中央部付近に固定されているので、その位置から離れた場所に敷設されていたケーブルを保持した際にそのケーブルに異常なテンションがかかり、回線に影響を与えるおそれがあるという問題があった。また、上述したように持ち上げられたケーブルの保持位置が固定されており、その保持位置を移動させることができないので、ケーブルの撤去作業の際に持ち上げられたケーブルが障害となって作業性を低下させるという問題があった。
【０００７】
本発明は、上述した事情に鑑み、撤去すべきケーブル以外のケーブルに悪影響を与えることなく、撤去すべきケーブルを容易に且つ安全に撤去することができ、さらに撤去作業の効率を向上させることができるケーブル保持具を提供することを目的とする。
【課題を解決するための手段】
【０００８】
上記課題を解決する本発明の第１の態様は、上部に開口部を有すると共に内部に複数のケーブルを収容するケーブル収容部の幅方向端部の一方に着脱可能に取り付けられる本体と、前記ケーブル収容部の開口部の上方空間に突出させて上面にケーブルを載置できるように、前記ケーブル収容部の幅方向に滑動可能に前記本体に取り付けられる滑動部材と、該滑動部材が滑動する際に、載置されたケーブルの位置を維持して前記滑動部材の相対的な移動を確保するように前記滑動部材に配設される滑り手段とを具備することを特徴とするケーブル保持具にある。
【０００９】
かかる態様では、障害となるケーブルに異常なテンションをかけることなく、滑動部材上にそのケーブルを載置することができると共に滑動部材をケーブル収容部の幅方向に滑動させることができ、結果として撤去すべきケーブル以外のケーブルに悪影響を与えることなく、撤去すべきケーブルを容易に且つ安全に撤去することができる。そして、ケーブル保持具を用いれば、ケーブルの撤去を１人で行なうことができるので、撤去作業を省力化して撤去作業の効率を向上させることができる。
【００１０】
本発明の第２の態様は、前記滑動部材は、回転軸が前記ケーブル収容部の長手方向と平行になるように並設された複数のローラ上に載置されていることを特徴とする第１の態様に記載のケーブル保持具にある。
【００１１】
かかる態様では、滑動部材をケーブル収容部の幅方向に容易に滑動させることができる。
【００１２】
本発明の第３の態様は、前記滑り手段は、回転軸が前記ケーブル収容部の長手方向と平行になるように並設された複数のローラからなることを特徴とする第１又は第２の態様に記載のケーブル保持具にある。
【００１３】
かかる態様では、滑動部材を滑動させても滑動部材に載置されたケーブルに異常なテンションがかかることを防止することができる。
【００１４】
本発明の第４の態様は、前記滑り手段は、複数の球状ローラからなることを特徴とする第１又は第２の態様に記載のケーブル保持具にある。
【００１５】
かかる態様では、滑動部材を滑動させても滑動部材に載置されたケーブルに異常なテンションがかかることをより確実に防止することができる。
【００１６】
本発明の第５の態様は、前記本体は、前記ケーブル収容部の長手方向に移動するための移動手段を有することを特徴とする第１〜第４の何れか１つの態様に記載のケーブル保持具にある。
【００１７】
かかる態様では、ケーブル保持具をケーブル収容部の長手方向に移動させて、ケーブル収容部からケーブルを完全に撤去することができる。
【発明の効果】
【００１８】
本発明に係るケーブル保持具によれば、撤去すべきケーブル以外のケーブルに悪影響を与えることなく、撤去すべきケーブルを容易に且つ安全に撤去することができ、さらに撤去作業の効率を向上させることができる。
【発明を実施するための最良の形態】
【００１９】
以下、本発明を実施するための最良の形態について説明する。なお、本実施形態の説明は例示であり、本発明は以下の説明に限定されない。
【００２０】
（実施形態１）
図１は、本発明の実施形態１に係るケーブル保持具を示す概略側面図であり、図２は実施形態１に係るケーブル保持具を構成する本体の概略斜視図であり、図３は実施形態１に係るケーブル保持具を構成する滑動部材の概略斜視図である。図１に示すように、本実施形態に係るケーブル保持具１は、上方に開口部１０１を有し、内部に複数のケーブル１１０を収容するケーブル収容部１００の右側端部に着脱可能に取り付けられた本体１０と、その本体１０に滑動可能に取り付けられ、開口部１０１の上方空間に突出することができる滑動部材５０とを有している。なお、本実施形態では、ケーブル保持具をケーブル収容部１００の右側端部に取り付けたが、ケーブル保持具１の左右を反転させてケーブル収容部１００の左側端部に取り付けてもよいことはいうまでもない。
【００２１】
まず、本体１０について説明する。図１及び図２に示すように、本体１０の下部には、Ｌ字状のＬ字部２１と、そのＬ字部２１の水平部を貫通するように取り付けられた調節部２２と、調節部２２の上部に取り付けられた狭持板２５とからなる狭持部２０が設けられている。そして、調節部２２を回転させて狭持板２５と本体１０の下面との距離Ｌを調節することにより、狭持板２５と本体１０の下面とでケーブル収容部１００の幅方向右側端部を狭持して、本体１０をケーブル収容部１００に着脱可能に取り付けることができるようになっている。
【００２２】
また、ケーブル収容部１００の右側下部には凸状の突起部１０２が設けられ、開口部１０１にはケーブル収容部１００の幅よりも開口部１０１が狭くなるように内側に突出した突出部１０３が設けられている。一方、本体１０の左側下部にはケーブル収容部１００の突出部１０３と係合する係合部１３が設けられ、本体１０の狭持板２５の上部にはローラ２６が設けられている。そして、本体１０の係合部１３とケーブル収容部１００の突出部１０３とを係合させると共に、ケーブル収容部１００の突起部１０２よりも本体１０のローラ２６が幅方向右側に位置するように本体１０をケーブル収容部１００に取り付けることにより、ケーブル収容部１００から本体１０が外れるのを防止することができるようになっている。すなわち、ケーブル収容部１００の突出部１０３と本体１０の係合部１３とを係合させることにより、ケーブル収容部１００に対して本体１０が所定の距離以上に幅方向右側に移動することを防止する一方、ケーブル収容部１００の突起部１０２よりも本体１０のローラ２６を幅方向右側に配置することによりケーブル収容部１００に対して本体１０が所定の距離以上に幅方向左側に移動することを防止して、ケーブル収容部１００から本体１０が外れるのを防止することができる。
【００２３】
さらに、ケーブル収容部１００と接触する本体１０の下部には複数のローラ１６が設けられており、本体１０の狭持板２５の上部に設けられたローラ２６と協働して、本体１０をケーブル収容部１００の長手方向（図１の紙面に対して垂直方向）に移動させることができるようになっている。
【００２４】
そして、本体１０のケーブル収容部１００の開口部１０１よりも上部には、回転軸がケーブル収容部１００の長手方向と平行になるようにローラ１８が複数並設され、これらのローラ１８上に滑動部材５０が載置されている。すなわち、複数のローラ１８を介して本体１０に滑動部材５０が取り付けられており、滑動部材５０をケーブル収容部１００の幅方向（Ａ方向）に容易に滑動させることができるようになっている。
【００２５】
次に、滑動部材５０について説明する。図３に示すように、滑動部材５０は板状部材からなり、長手方向右側端部には貫通孔５１が設けられて把持部５５が形成されている。把持部５５以外の滑動部材５０の上部には、回転軸が幅方向と平行になるようにローラ５８が複数並設され、滑り手段が形成されている。これらのローラ５８は、ケーブル保持具１をケーブル収容部１００に取り付けた際に、回転軸がケーブル収容部１００の長手方向に平行になるようになっている。このように、滑動部材５０の上部に滑り手段を設けることにより、後述するように、滑動部材５０を滑動させてもケーブル１１０に異常なテンションがかかることはないという効果を奏する。
【００２６】
次に、ケーブル保持具１の動作について説明する。図４〜図７は、ケーブル保持具の動作工程を示す図である。まず、図４に示すように、ケーブル保持具１をケーブル収容部１００の幅方向右側端部に取り付ける。ここで、撤去すべきケーブルＸはケーブル収容部１００の略中央で多数のケーブルの下に埋もれているとする。このケーブルＸをケーブル収容部１００から撤去するためには、ケーブルＸを撤去する際に障害となるケーブル１１０を他の場所に一時的に移動させる必要がある。なお、本実施形態では、ケーブルＸを撤去する際にケーブルＸの右側及び上側に位置するケーブル１１０をすべて他の場所に一時的に移動させるものとする。
【００２７】
そこで、図５に示すように、ケーブル保持具１の滑動部材５０をケーブル収容部１００の幅方向左側端部に向かって滑動させて、滑動部材５０の一部がケーブル収容部１００の開口部１０１の上方に位置するように配置する。そして、滑動部材５０上にケーブル１１０を載置することができる領域ｒ１を確保する。この際に、滑動部材５０は本体１０に設けられた複数のローラ１８上に載置されているので、滑動部材５０を容易に滑動させることができる。
【００２８】
そして、図６に示すように、領域Ｒ１に存在するケーブル１１０を滑動部材５０の領域ｒ１に載置する。ここで、滑動部材５０の位置を調節することによって、ケーブル１１０を動かす際に異常なテンションをかけることなく滑動部材５０の領域ｒ１にケーブル１１０を載置することができる。すなわち、最小限の移動距離で領域Ｒ１に存在するケーブルを滑動部材５０の領域ｒ１に載置することができる。
【００２９】
次に、領域Ｒ１に存在するすべてのケーブル１１０を滑動部材５０の領域ｒ１上に載置した後、滑動部材５０をケーブル収容部１００の幅方向左側端部に向かってさらに滑動させる。この際に、滑動部材５０上に載置されたケーブル１１０も滑動部材５０の滑動に伴ってケーブル収容部１００の幅方向左側端部に向かって移動しようとするが、ケーブル１１０は滑動部材５０の上部に設けられた複数のローラ１８上に載置されているので、ケーブル１１０は滑動部材５０上を滑り、ケーブル収容部１００に対するケーブル１１０の相対的な位置は変化せずに滑動部材５０のみがケーブル収容部１００の幅方向左側端部に向かって滑動することになる。すなわち、滑動部材５０上に載置されたケーブル１１０はその場に留まり、滑動部材５０のみがケーブル収容部１００の幅方向左側端部に向かって滑動することになる。このように、滑動部材５０をケーブル収容部１００の幅方向左側端部に向かって滑動させても、滑動部材５０上に載置されたケーブル１１０はその場に留まるので、滑動部材５０を滑動させてもケーブル１１０に異常なテンションがかかることはないという効果を奏する。
【００３０】
そして、滑動部材５０をケーブル収容部１００の幅方向左側端部に向かって滑動させた結果、図７に示すように、滑動部材５０の左側端部上にはケーブル１１０をさらに載置することができる領域ｒ２を確保することができる。この領域ｒ２に、領域Ｒ２に存在するケーブル１１０を載置する。そして、これらの動作を、ケーブルＸを撤去する際に障害となるケーブル１１０がなくなるまで繰り返す。そして、ケーブルＸを撤去した後、上述した動作と逆の動作を行なうことによって、滑動部材５０上に載置されたケーブル１１０を元の状態に戻すことができる。
【００３１】
さらに、ケーブル保持具１をケーブル収容部１００の長手方向（図４〜図７の紙面に対して垂直方向）に移動させつつ、上述したような動作を繰り返し行なうことによって、ケーブルＸをケーブル収容部１００から完全に撤去することができる。そして、ケーブル保持具１を用いれば、ケーブルの撤去を１人で安全に行なうことができるので、撤去作業の効率を向上させることができる。
【００３２】
以上、説明したように、本実施形態に係るケーブル保持具１によれば、ケーブル収容部１００に収容された多数のケーブル１１０のうち、撤去すべきケーブル１１０以外のケーブル１１０に悪影響を与えることなく、撤去すべきケーブル１１０を容易に且つ安全に撤去することができ、さらに撤去作業の効率を向上させることができる。
【００３３】
（実施形態２）
実施形態１では、上述したような滑動部材５０を用いてケーブル保持具１を構成したが、滑動部材５０は、滑動部材５０が滑動する際に、載置されたケーブル１１０の位置を維持して滑動部材５０の相対的な移動を確保する滑り手段が配設されているものであれば特に限定されない。例えば、図８に示す滑動部材を用いてケーブル保持具１を構成してもよい。
【００３４】
図８に示すように、滑動部材５０Ａは板状部材からなり、長手方向右側端部には貫通孔５１が設けられて把持部５５が形成されている。把持部５５以外の滑動部材５０の上部には、球状ローラ５８Ａを長手方向に列状に複数並設して構成したローラ列が３列設けられ、滑り手段が形成されている。これらの球状ローラ５８Ａはあらゆる方向に回転することができるので、通常のローラで構成した滑り手段よりも確実にケーブル１１０に異常なテンションをかけることなく、滑動部材５０をケーブル収容部１００の幅方向により容易に滑動させることができる。
【００３５】
（他の態様）
実施形態１及び２では、突出部１０３が設けられたケーブル収容部１００を例にとってケーブル保持具１を説明したが、ケーブル収容部の形状はこれに限定されない。例えば、突出部１０３が設けられていないケーブル収容部、すなわち断面コ字状のケーブル収容部にケーブル保持具１を取り付けるようにしてもよい。このようなケーブル収容部にケーブル保持具１を取り付けても、実施形態１及び２と同様の効果が得られる。なお、この場合には、ケーブル保持具１に係合部１３を設ける必要はないことはいうまでもない。
【図面の簡単な説明】
【００３６】
【図１】実施形態１に係るケーブル保持具の概略側面図である。
【図２】実施形態１に係る本体の概略斜視図である。
【図３】実施形態１に係る滑動部材の概略斜視図である。
【図４】実施形態１に係るケーブル保持具の動作工程を示す概略図である。
【図５】実施形態１に係るケーブル保持具の動作工程を示す概略図である。
【図６】実施形態１に係るケーブル保持具の動作工程を示す概略図である。
【図７】実施形態１に係るケーブル保持具の動作工程を示す概略図である。
【図８】実施形態２に係る滑動部材の概略斜視図である。
【符号の説明】
【００３７】
１  ケーブル保持具
１０  本体
１３  係合部
１６、１８、２６、５８  ローラ
２０  狭持部
２１  Ｌ字部
２２  調節部
２５  狭持板
５０、５０Ａ  滑動部材
５１  貫通孔
５５  把持部
５８Ａ  球状ローラ
１００  ケーブル収容部
１０１  開口部
１０２  突起部
１０３  突出部
１１０  ケーブル
【図１】
2008141793.tif 000003
【図２】
2008141793.tif 000004
【図３】
2008141793.tif 000005
【図４】
2008141793.tif 000006
【図５】
2008141793.tif 000007
【図６】
2008141793.tif 000008
【図７】
2008141793.tif 000009
【図８】
2008141793.tif 000010